(57)【要約】【課題】ランドセルなどのかばんを構成する部材同士を締結する鋲が傷ついたとき、容易に交換できる連結構造を提供する。またそのような鋲に装飾性を付与すると共に、装飾の形態を自由に変えることができる連結構造を提供する。【解決手段】ランドセルＲの蓋１と、ランドセルＲ本体の底襠に着脱可能となっているＹ字状の連結用ベルト２とを筒状の第１鋲３で固着することにより両部材に貫通孔１６を形成し、その貫通孔１６に挿脱可能な軸部を有する第２鋲４を装着してなるかばんの構成部材同志の連結構造Ｌ。第２鋲４は円筒形の内部に雌螺子を刻設している軸部２０と、この軸部２０の上端に一体形成された装飾性を有する頭部２１とからなる押え部材１７と、この雌螺子に螺合する雄螺子を刻設している軸部２３と、この軸部２３の下端に一体形成された座部２４とからなる締め付け部材１８とによってなっている。【選択図】図１
2008043603.tif 000002
【特許請求の範囲】
【請求項１】
かばんを構成する第１部材と第２部材とを筒状の第１鋲で固着することにより貫通孔を形成し、その貫通孔に挿脱可能な軸部を有する第２鋲を固定してなるかばんの構成部材同士の連結構造。
【請求項２】
前記第２鋲の軸部の一端に設けられている頭部が装飾性を有している請求項２記載のかばんの構成部材同士の連結構造。
【請求項３】
前記第１部材がかばんの蓋であり、前記第２部材がかばん本体に蓋を止めるための連結部材である請求項１または２記載のかばんの構成部材同士の連結構造。
【請求項４】
前記第１部材が背負いベルトであり、前記第２部材が吊り環の取り付け部材である請求項１または２記載のかばんの構成部材同士の連結構造。
【請求項５】
前記かばんがランドセルである請求項３または４記載のかばんの構成部材同士の連結構造。
【請求項６】
前記かばんがランドセルであり、第１部材がランドセルの収納部であり、前記第２部材がその収納部に取り付けられる飾りベルトないし締め付けベルトである請求項３または４記載のかばんの構成部材同士の連結構造。
【請求項７】
かばんを構成する第１部材と第２部材とを頭部に飾りを備えた鋲で締結しているかばんの構成部材同士の連結構造。
【請求項８】
前記鋲が着脱自在になっている請求項７記載のかばんの構成部材同士の連結構造。
【発明の詳細な説明】
【技術分野】
【０００１】
本発明はかばんの構成部材同士の連結構造に関する。
【背景技術】
【０００２】
かばんを構成する部材同士を連結する鋲は、頭部と、その頭部と一体の軸部とを備えており、部材同士を重ねて軸部を貫通させ、軸部の先端をかしめて広げることにより固定するが、このような固定鋲は使用する場所によっては傷つくことがある。しかし一旦、取り付けられた鋲は簡単に交換することができない。他方、従来の固定鋲は審美性に欠けていた。したがって、一見して鋲であることがわかるので、外観上、鋲の存在に違和感があった。そのため鋲の頭部に装飾性を有しているものを使用することが考えられる。しかし審美性を有する鋲であっても、長期間、同じものを使用していると見飽きるという問題がある。
【発明の開示】
【発明が解決しようとする課題】
【０００３】
本発明は、ランドセルなどのかばんを構成する部材同士を締結する鋲が傷ついたとき、容易に交換できる連結構造を提供することを第１の課題にしている。また、かばんを構成する部材同士を連結する鋲に装飾性を付与することを第２の課題にしている。
【課題を解決するための手段】
【０００４】
本発明のかばんの構成部材同士の連結構造（請求項１）は、かばんを構成する第１部材と第２部材とを筒状の第１鋲で固着することにより貫通孔を形成し、その貫通孔に挿脱可能な軸部を有する第２鋲を固定してなることを特徴としている。
【０００５】
このような第２鋲は、軸部の一端に設けられている頭部が装飾性を有しているのが好ましい（請求項２）。
【０００６】
また、前記第１部材は、かばんの蓋であり、前記第２部材はかばん本体に蓋を止めるための連結部材であるのが好ましい（請求項３）。
【０００７】
また、前記第１部材は背負いベルトであり、前記第２部材は吊り環の取り付けベルトであるのが好ましい（請求項４）。
【０００８】
また、前述の第１部材がかばんの蓋である場合（請求項３）、あるいは背負いベルトである場合（請求項４）は、前記かばんはランドセルであるのが好ましい（請求項５）。
【０００９】
また、前記かばんがランドセルであり、前記第１部材がランドセルの収納部であり、前記第２部材はその収納部に取り付けられる飾りベルトないし締め付けベルトであるのが好ましい（請求項６）。
【００１０】
本発明のかばんの構成部材同士の連結構造の第２の態様（請求項７）は、かばんを構成する第１部材と第２部材とを頭部に飾りを備えた鋲で締結していることを特徴としている。
【００１１】
このような鋲は着脱自在になっているのが好ましい（請求項８）。
【発明の効果】
【００１２】
本発明のかばんの構成部材同士の連結構造（請求項１）は、かばんを構成する第１部材と第２部材を筒状の第１鋲によって固着することにより、貫通孔を形成している。つまり両部材は、第１鋲によって重ねた状態で一体となり、その重ねた部位に１つの貫通孔が形成される。この第１鋲には、この貫通孔に挿脱可能な軸部を有している第２鋲が鋲着されている。つまり前記１部材と２部材は第１鋲と第２鋲によって二重に鋲着されている。したがって第２鋲が第１鋲を保護すると共に、第２鋲が傷ついた場合でも、第２鋲は交換することができる。また、第１鋲によって一体になっている第１部材と第２部材には共通の貫通孔が形成されている。したがって第２鋲の交換の際、第２鋲を外しても、この貫通孔は保持されるので、交換用の第２鋲は第１部材および第２部材を簡単に二重鋲着できる。
【００１３】
前記第２鋲の頭部に装飾性を有している場合（請求項２）、第２鋲は異なる装飾性を有する第２鋲に差し替えができる。したがって、第二鋲を別の鋲に差し替えることによっていろんなパターンの装飾をかばんに施すことができる。
【００１４】
前記第１部材が、かばんの蓋であり、前記第２部材がかばん本体に蓋を止めるための連結部材である場合（請求項３）、蓋の開け閉めで、第２鋲は擦れて傷つき易く、また蓋の鋲は目立ち易いが、第２鋲は容易に交換できる。また第２鋲によって飾りが施されている場合は、第２鋲を差し替えることによって、蓋はその時々で、いろいろな飾りが施されるので、見飽きることはない。
【００１５】
前記第１部材が背負いベルトであり、前記第２部材が吊り環の取り付けベルトである場合（請求項４）、吊り環に取り付ける物によって第２鋲は擦れて傷つき易いが、第２鋲は容易に交換ができる。さらに第２鋲の頭部が装飾性を有する場合は、背負いベルトは第２鋲によって飾りが施される。さらに第２鋲を差し替えることによって、背負いベルトはその時々で、いろいろな飾りが施されるので、見飽きることはない。背負いベルトはかばんを背負った状態において、人からもよく見える部材なので、かばんに装飾を施す部材としては最適である。
【００１６】
前記かばんがランドセルである場合（請求項５）、さらに第２鋲の頭部に装飾性を有する場合で、第１部材がランドセルの蓋である場合は、ランドセルの背負い状態において、蓋は人から最も外見される部材なので、当該部材に飾りが施されていることは、お洒落なランドセルに外見される。また、第２鋲を他の第２鋲に差し替えることによって、蓋は異なる飾りが施されるので、見飽きることはない。
【００１７】
また、第２鋲の頭部に装飾性を有しており、第１部材がランドセルの背負いベルトである場合は、第２鋲によって背負いベルトに飾りが施される。背負いベルトは、ランドセルを背負った状態において、人からもよく見える部材なので、当該部材に飾りが施されていることはお洒落なランドセルに外見される。また、第２鋲を他の第２鋲に差し替えることによって、背負いベルトは異なる飾りが施されるので、見飽きることはない。
【００１８】
また、前記かばんがランドセルであり、前記第１部材がランドセルの収納部であり、前記第２部材がその収納部に取り付けられる飾りベルトないし締め付けベルトである場合（請求項６）、この飾りベルトないし締め付けベルトは、収納部の側襠、また収納部の正面に設けられている。この収納部の側襠、または収納部の正面は第２鋲によって飾りが施される。この収納部は外見され易い部材なので、当該部材に飾りが施されていることはお洒落なランドセルに外見される。特に収納部の正面に施されている飾りは、蓋を開けたときに外見されるので、蓋を開けた状態においても、お洒落なランドセルに外見される。また第２鋲を差し替えることによって、収納部は異なる飾りが施されるので、見飽きることは無い。
【００１９】
本発明のかばんの構成部材同士の連結構造の第２の態様（請求項７）は、かばんを構成する第１部材と第２部材とを頭部に飾りを備えた鋲で締結している。したがってその鋲は、外観上、鋲であることが認識されないので、非常に好体裁のかばんを呈することができる。
【００２０】
このような鋲が着脱自在になっている場合（請求項８）、異なるデザインの飾りの鋲に交換することができるので、鋲は見飽きることがない。またその鋲が損傷した場合、交換することができる。
【発明を実施するための最良の形態】
【００２１】
次に図面を参照しながら本発明の実施形態を説明する。図１は本発明のかばんの構成部材の連結構造（以下、単に連結構造という）をランドセルに適用した場合の一実施形態を示す斜視図、図２は図１のＡ―Ａ線断面図、図３は鋲着の説明図、図４はその他の第２鋲の実施形態を示す断面図、図５ａは  その他の鋲の分解斜視図、図５ｂは図５ａの鋲着状態の正面図、図５ｃはその他の鋲の分解斜視図、図５ｄは図５ｃの鋲着状態の正面図、図６ａはその他の連結構造を示す正面図、図６ｂは図６ａの要部断面図、図７はその他の連結構造を示す斜視図、図８は本発明の連結構造の他の実施形態を示す断面図、図９はその他の第２鋲の実施形態を示す拡大断面図である。
【００２２】
図１に示す本発明の連結構造Ｌは、ランドセルＲの蓋１と、ランドセル本体の底襠に着脱可能となっているＹ字状の連結用ベルト２と、これらを止着するための第１鋲３と、この第１鋲に装着する第２鋲４とからなっている。以下に、さらに詳しく述べる。
ランドセルＲの蓋１の下方は、図２に示すように、外皮材１０と内被材１１との間にクッション材１２が設けられている。図２に示すように前記内被材１１には連結用ベルトの挿入口１３が穿設されている。そしてその挿入口１３に連結用ベルト２の左片２ａの上部を挿入して、第１鋲３によって締結している。連結用ベルト２の右片２ｂについても同様である。
【００２３】
その第１鋲３は、図３に示すように、円筒状の軸部１５と、その軸部１５のその一端の周縁より外側に突出する鍔１４ａを有する。鍔１４ａはカール形成されている。蓋１と連結用ベルト２は予め鋲着用の穴を穿設し、その穴に第１鋲３の軸部１５を外被材１０側から差し込む。そして鍔１４ａを外被材１０に当接し、軸部１５の先端をかしめ、両部材を締結する。かしめることによって、軸部１５の先端は拡がり、周縁から外側に突出する鍔１４ｂに形成される。この鍔１４ｂもかしめによってカール形成されている。またクション材１２は、第１鋲３をかしめるときに圧縮されるので、蓋１の表裏面の当該第１鋲着部の周辺は緩やかな凹部が形成される。またクッション材１２は第１鋲３の鋲着によって、均一な肉厚に形成される。また、第１鋲３の両端または一端は締結物である蓋１との間にワッシャ２６を介在させて鋲着するのが好ましい。この場合さらに締め付けは強力になる。また第１鋲の鍔１４ａまた鍔１４ｂがクッション材１２から外れるのが防止される。しかしワッシャはなくてもよい。
【００２４】
第１鋲３の両端はこれらの凹部に埋没する。また締結された上記の２つの部材は第１鋲３によって貫通孔１６が形成される。このように蓋１および連結用ベルト２は第１鋲の両端の鍔１４a、１４bによって強力に締め付けられるので、簡単に外れない。
【００２５】
この貫通孔１６には、図１ないし図２に示すように第２鋲４が固定される。第２鋲４は、図１ないし図３に示すように、蓋１の外皮材１０側から挿入する押え部材１７と、内被材１１側から挿入し、かつ押え部材１７に螺合する締め付け部材１８とからなっている。押え部材１７は、円筒形の内周に雌螺子１９を刻設した軸部２０と、この軸部２０の上端に一体形成された装飾性を有する頭部２１とからなっている。雌螺子１９は頭部２１内まで達している。頭部２１は上記の第１鋲３の鍔１４ａを被覆する大きさ、または形状になっている。またその表面には、例えばいわゆるラインストーンの小片やガラス製の小片、陶磁器やセラミック製などの立体物を接着したり、嵌め込んだり、またデザインを刻設するなど色々な手法による装飾が施されている。
【００２６】
締め付け部材１８は軸部２３と、この軸部２３の下端に一体形成された座部２４とからなり、軸部２３には前記雌螺子１９に螺合する雄螺子２２をその外周に刻設している。座部２４の表面には締め付け部材１８をドライバーなどで回転させるため、溝２５が形成されている。雄螺子２２の長さは雌螺子１９の長さよりも短くなっている。
【００２７】
図３に示すように、押え部材１７は軸部２０を外被材側より貫通孔１６に挿入し、また締め付け部材１８は軸部２２を反対側方向より挿入して、雄螺子２２を雌螺子１９に螺進させる。このときクッション材１２は第１鋲３の鋲着によって、均一な肉厚に形成されているので、押え部材１７と締め付け部材１８は確実に、かつ迅速に螺合させることができる。図２に示すように、雄螺子２２は、頭部２１が第１鋲３の一端に、また座部２４が同他端に強力に圧着するまで雌螺子１９に螺進させる。したがって押え部材１７と締め付け部材１８はそれぞれが第１鋲３に圧着状態で連結するので、第１鋲との摩擦によって簡単に緩むことはない。また、蓋１と連結用ベルト２の連結は安定するので、両者を縫合させる必要はない。また縫合糸はないので、外観好体裁である。しかし縫合してもよい。
【００２８】
第２鋲は、図２に示すように第１鋲３を被蓋しているので、第１鋲３は外部からの衝撃を直接受けることはない。したがって、第１鋲３による締結は、長期にわたって安全な状態で保護される。また第２鋲４は第１鋲３に圧着しているので、第１鋲３は鋲着が緩むのが防止されている。したがって、連結用ベルト２が引っ張られたり、また閉蓋時にかばん本体の底襠に方向に曲げられて、鋲着部に大きな負荷がかかっても、簡単に損傷することはない。仮に一方の鋲が損傷しても、他方の鋲によって、蓋１と連結用ベルト２の連結は保持される。また第２鋲の頭部２１は第１鋲３の一端を完全に被覆するので、不外見となる。したがって蓋１と連結用ベルト２の鋲着部は第２鋲の頭部２１だけが外見されるので、ランドセルＲの蓋１は、非常に洒落た外観を呈することができる。
【００２９】
前記の押え部材１７は、図４に示すように、軸部２０の付け根部の周辺に段部２７を形成したものでもよい。段部２６の直径は第１鋲３の鍔１４ａ、１４ｂの直径とほぼ同じ大きさであり、かつその下端面は平滑または小さな凹凸状に形成されている。また段部２６の高さは、鋲着状態において、頭部２６が外皮材１１に接触または当接しないようにそれ相当の長さを有している。したがって、押え部材１７は、締め付け部材１８を螺進させたとき、段部２６が第１鋲３の一端に当接するので、頭部２１は外皮材１１に接触または当接するのが防止される。
【００３０】
また、頭部２１が外皮材１１に圧着して、締め付け部材１８の螺進が阻止されることはないので、第２鋲４は、第１鋲３に対して一層、強く締め付けることができる。したがって第２鋲と第１鋲の連結は、一層、確実に保持される。また第１鋲３固着は一層、確実になる。さらに頭部２１は外皮材１１に接触したり、また当接したりするのが防止されるので、外皮材１１の表面に頭部の型がつくことはない。したがって別の第２鋲に差し替えた場合、その第２鋲の装飾が損なわれることはない。また、第２鋲は頭部が大小のものを繰り返して差し替えても、外皮材の第２鋲による損傷はない。
【００３１】
図２および図４に示す第２鋲を別の第２鋲に交換する際、蓋１と連結用ベルト２は第２鋲を外した後においても、第１鋲によって、バラけることはない。また貫通孔１６もそのまま残っている。したがって新しい第２鋲の取り付けは、図３に示す要領で迅速に、かつ簡単に行なうことができる。
【００３２】
以上の実施形態において明らかなように、第１鋲と第２鋲による連結作用と装飾作用の同時奏成は、相互の鋲が補助し合うことによって、有効に作用するので、この２つの鋲による効果は甚大である。特に、ランドセルは児童が使用するものであるから、乱暴に取り扱われ易く、鋲着部にかかる負荷は大きい。しかしこの実施形態では、鋲着部の締結状態を好体裁な外観にして、保護しているので、その効果は大きい。また、ランドセルは身体と一体的に使用されることから、ランドセルの外観は非常に重要である。例えば、通学するの日の髪型や服装などのイメージにあわせて、第２鋲を差し替えることができるので、ランドセルだけではなく、トータル的にお洒落を楽しむことができる。
【００３３】
なお、第１鋲および第２鋲の鋲着は、図５ａに示すように、第１鋲３と、第２鋲４との間にワッシャ３０を設けてもよい。このワッシャ３０の直径は第１鋲３の頭部２１よりも大きい。またワッシャ３０は頭部１７に当接する以外、つまり周縁に装飾Ａが施されている。装飾方法は、例えばラインストーンの小片や、ガラス製の小片などを周縁に接着してもよいし、またデザインを刻設してもよい。しかして図５ｂに示すように、二重鋲着の状態は、頭部２１の周囲をワッシャ３０の装飾Ａが取り巻くので、第２鋲４は一層豪華になる。またワッシャ３０を設けることによって、第１鋲３と第２鋲４の螺子締めは一層、強力になる。
【００３４】
また図５ｃに示すように、第１鋲３の鍔１４ａを図２の鍔より大径に形成し、その表面にデザインＤを刻設したものでもよい。この場合、第２鋲４の頭部２１の形大は、頭部の周囲から鍔１４ａを外見できるのが好ましい。しかして図５ｄに示すように、二重鋲着をした状態の頭部２１の周囲から鍔１４ａのデザインＤが外見されるので、第２鋲４は、一層豪華になる。
前述の２つの実施形態は、第２鋲の頭部の意匠または装飾だけでは物足りない場合に最適である。なお、全実施形態における頭部、ワッシャおよびつばの装飾は、記述された内容に限定されるものではない。例えば頭部が図５ａのように半球状や図５ｃのように星型になっているほか、ハート型、リボン型などにすることもできる。
【００３５】
またランドセルにおけるその他の鋲着部は、図１および図６ａに示すように、背負いベルト本体４０と、この表面に設ける吊り具４１がある。この鋲着部についても、前述と同じように第１鋲３と、この第１鋲に装着する第２鋲４によって、二重に鋲着されている。
さらに詳述すると、背負いベルト本体４０は図６ａに示すように、クッション体４２と、これに縫合されている化粧カバー４３とからなっている。化粧カバー４３は可撓性の天然または合成の皮革が好ましい。吊り具４１は審美性を有する形状の吊環４４と、これを吊持するための取り付け部材４５とからなる。取り付け部材４５はシート状のもので、吊環４４の上杆に巻きつけて二重にし、背負いベルト４０に第１鋲３によって鋲着され、その第１鋲３に第２鋲４を固定している。したがって吊環４４に比較的重い物を吊り下げたり、またその物が引っ張られても、鋲着部は確かな締結状態が確保されているので、簡単に損傷しない。
【００３６】
第１鋲の鋲着後のクッション体４２は、図６ｂに示すように、第１鋲３の鋲着部の周辺が緩やかな凹部に形成される。また第１鋲３はその凹部に埋没している。この第１鋲３は、図２と同じように押え部材１７と締め付け部材１８が装着されるが、座部２４はクッション体の凹部に埋設される。したがってランドセルを背負ったとき、座部２４は身体に強く当接するのが防止される。押え部材１７の頭部２１の装飾は、吊環４４の形状にマッチするものが好ましい。したがって吊環４４の審美性は押え部材１７の頭部２１によって、一層、良好になる。また吊り具４１全体が一層、豪華になる。また第２鋲を差し替えることによって、異なる雰囲気の吊り具にすることもできる。このように、背負いベルト４０に設ける吊り具４１は、第２鋲によって、その審美性を一層、良好にならしむものである。また背負いベルトをお洒落に装うことができると共に、第２鋲を別の第２鋲に差し替えることによって、違ったお洒落に装うこともできる。なお、第１鋲３は両端または一端側に、図３に示すワッシャを設けることによって、一層、強力に締め付けができるなど同理同様の効果を奏成する。しかしワッシャはなくてもよい。
【００３７】
また、その他の鋲着部としては、図７に示すようにランドセルの副収納部５０と、この収納部５０の胴部に巻装したベルト５１との鋲着がある。この鋲着部についても、前述と同じように第１鋲３と第２鋲４によって、二重に鋲着されている。したがってベルト５１がここに取り付けた吊り物によって引っ張られることがあっても、鋲着部は簡単に損傷しない。
【００３８】
副収納部５０の前面に向けられた小形副収納部には時間割表などを収納する収納部が施されている。その収納部にはデザインが施された窓部５２が形成されている。第２鋲４はその窓部５２のデザインにマッチするものが取り付けられている。ここでは窓部と第２鋲の頭部が花形に統一されている。したがって開蓋状態におけるランドセル本体は、窓部５１と第２鋲４のデザインが相俟って、非常にお洒落な外観となる。また、新たな第２鋲に差し替えることによって、違う雰囲気の外観を呈することができる。なお、第１鋲の両端または一端に図３に示すワッシャを設けることによって、一層、強力に締め付けができるなど同理同様の効果を奏成する。しかしワッシャはなくてもよい。
【００３９】
以上の全実施形態からも明らかなように、第２鋲はいつでもどこでも簡単に、かつ迅速に差し替えができるので、人がその時の気分、またはその時の服装や髪型によってピアスを選ぶのと同じ感覚で、ランドセルにも、その時々で飾り付けをして、お洒落を気軽に楽しむことができる。またランドセルは６年間の長期に亘り使用するため、どんなに素晴らしい装飾性を有していても、結局は見飽きることになる。第２鋲は簡単に差し替えることができるので、自分らしいお洒落をいつでも、どこでも自由に楽しむことができる。また第１鋲による締結は、第２鋲の鋲着によって、保護されるので、一層、確実なものになっている。またランドセルは身体との一体感が非常に強いので、ランドセルを者を収納する道具として利用するだけではなく、自分のお洒落を表現する物として利用することもできる。
【００４０】
締め付け部材１８は軸部２３と、この軸部２３の下端に一体形成された座部２４とからなり、軸部２３には前記雌螺子１９に螺合する雄螺子２２をその外周に刻設している。座部２４の表面には締め付け部材１８をドライバーなどで回転させるため、溝２５が形成されている。雄螺子２２の長さは雌螺子１９の長さよりも短くなっている。
上記の連結構造は、ランドセル以外に、デイバッグ、ショルダーバッグなどのかばんの構成部材同士を連結するために採用することができる。
【００４１】
なお、鋲の飾りが少々、傷ついたまま使用してもよいのであれば、例えば図１および図７に示す第２鋲を中空鋲などの固定鋲にしてもよい。また、第１鋲に変って、例えば図３に示す蓋１および連結用ベルト２に穿設する貫通孔、またその周辺を接着して、両部材を一体化させてもよい。またこの貫通孔の周辺を縫合する場合は、一層、確実に一体化する。図８に示すように、中空鋲６０の頭部６１には装飾６２が施されている。軸部６３は例えば図３に示す蓋１および連結用ベルト２に穿設された貫通孔に貫通して、先部をかしめる。しかして鋲６０は蓋１および連結用ベルト２に固着する。装飾６２は例えばいわゆるラインストーンの小片やガラス製の小片、陶磁器やセラミック製などの立体物を頭部６１に接着したり、また嵌め込んだり、またデザインを刻設するなど色々な手法によって施している。なお符号の６４  はワッシャである。
【００４２】
なお、図９に示すように、図２ないし図４に示す押え部材１７の軸部２０と締め付け部材１８の軸部２３は相互に差し替えてもよい。つまり押え部材１７の軸部７０には雄螺子７１がその外周に刻設される。締め付け部材１８の円筒形の軸部７２は、その内周に前記雄螺子７１が螺合するための雌螺子７３が刻設される。また雄螺子７１の長さは雌螺子７３の長さよりも短くなっているので、雌螺子７３は、頭部７４が第１鋲３の一端に、また座部７５が同他端に強力に圧着するまで雄螺子７１に螺進させることができる。
【図面の簡単な説明】
【００４３】
【図１】図１は本発明のかばんの構成部材の連結構造をランドセルに適用した場合の一実施形態を示す斜視図である。
【図２】図２は図１のＡＡ線拡大断面図である。
【図３】図３は鋲着の説明図である。
【図４】図４はその他の第２鋲の実施形態を示す拡大断面図である。
【図５】図５ａは  その他の鋲の分解斜視図、図５ｂは図５ａの鋲着状態の正面図、図５ｃはその他の鋲の分解斜視図、図５ｄは図５ｃの鋲着状態の正面図である。
【図６】図６ａはその他の連結構造を示す正面図、図６ｂは図６ａの要部拡大断面図である。
【図７】図７はその他の連結構造を示す斜視図である。
【図８】図８は本発明の連結構造の他の実施形態を示す断面図である。
【図９】図９はその他の第２鋲の実施形態を示す拡大断面図である。
【符号の説明】
【００４４】
１  蓋
２  連結用ベルト
３  第１鋲
１０  外皮材
１１  内被材
１２  クッション材
１３  挿入口
１４ａ  鍔
１４ｂ  鍔
１５  軸部
１６  貫通孔
１７  押え部材
１８  締め付け部材
１９  雌螺子
２０  軸部
２１  頭部
２２  雄螺子
２３  軸部
２４  座部
２５  溝
２６  段部
３０  ワッシャ
４０  背負いベルト本体
４１  吊り具
４２  クッション体
４３  化粧カバー
４４  吊環
４５  取り付け部材
５０  副収納部  
５１  ベルト
５２  窓部
６０  鋲
６１  頭部
６２  装飾
６３  軸部
６４  ワッシャ
７０  軸部
７１  雄螺子
７２  軸部
７３  雌螺子
７４  頭部
７５  座部
Ａ  アクセサリ
Ｄ  デザイン
Ｌ  連結構造
Ｒ  ランドセル
【図１】
2008043603.tif 000003
【図２】
2008043603.tif 000004
【図３】
2008043603.tif 000005
【図４】
2008043603.tif 000006
【図５】
2008043603.tif 000007
【図６】
2008043603.tif 000008
【図７】
2008043603.tif 000009
【図８】
2008043603.tif 000010
【図９】
2008043603.tif 000011